(57)【要約】  【課題】  ドレン水の排出と室内外の通気とを簡便な共有経路により円滑に行えるようにした空気調和機を提供する。  【解決手段】  吸込口１と吹出口２とを結ぶ空気通路に設けられた熱交換器３と、同熱交換器３に対応する露受皿４からドレン水を室外に排出する排水路５と、室内外に連通する通気ダクト６とを備えると共に、前記排水路５と前記通気ダクト６とを、鋭角状に合流する合流部７を備えた共有経路８として構成されてなる構成した。【選択図】  図１
2005337637.tif 000002
【特許請求の範囲】
【請求項１】
吸込口と吹出口とを結ぶ空気通路に設けられた熱交換器と、同熱交換器に対応する露受皿からドレン水を室外に排出する排水路と、室内外に連通する通気ダクトとを備えてなり、
前記排水路と前記通気ダクトとが、鋭角状に合流する合流部を備えた共有経路として構成されてなることを特徴とする空気調和機。
【請求項２】
前記合流部に、給排気時の空気流を導くガイドを設けてなることを特徴とする請求項１に記載の空気調和機。
【発明の詳細な説明】
【技術分野】
【０００１】
本発明は、室内機に排水路と通気ダクトとを備えた空気調和機に係わり、より詳細には、ドレン水の排出と室内外の通気とを簡便な共有経路により円滑に行えるようにしたものに関する。
【背景技術】
【０００２】
室内機に排気ユニットを備えた従来の空気調和機には、配管穴の径を大きくすることなく、通気ダクトと他の配管類とを共有の配管穴に配置することを可能とし、かつドレン水の逆流を防止するものとして、ドレンパン（露受皿）からのドレン水を室外に排出するためのドレン流入口とドレン排水口とを備えるドレン排水経路と、排気ファンにより生成される排出空気流を室外に排出するための排気流入口と排気口とを備える排気経路とが一体的に形成される排水路と、排水路に設けられ、室内空調ユニット側へのドレン水の逆流を防止する逆流防止手段とを備えたものが開示されていた（例えば、特許文献１参照。）。
【０００３】
しかしながら、逆流防止手段の構成が複雑であり、また、ドレン水の排出と排気とが同時に行われるような場合、送風部から排水部に向けての排気流によりドレン水が効率よく排出されにくいという問題点を有していた。
そのため、ドレン水の排出と排気とを簡便な共有経路で構成すると共に、水の流れの妨げにならないように排気できるようにすることが望まれていた。
【０００４】
また、排気のドレンパン（露受皿）側への逆流を防止し、排気と排水を共用ダクトで行える気液排出装置及びこれを備えた空気調和機として、室内機の内部に気液排出装置を搭載し、その排気路の一部を構成する排気部と、ドレンパン（露受皿）からの排気ホースとを一本化させ、また、開口部に逆止弁を設けて排気がドレンパン（露受皿）側へ逆流するのを防ぐようにし、また、逆止弁をフロートの上下動で開閉させて確実に開口させるようにし、更に、ドレン水の貯水部に異常水位を検出する水位検出手段を設け、一定水位を検出したときに運転を停止及び表示させ、ドレン水が貯水部から溢れ出さないようにしたものが開示されていた（例えば、特許文献２参照。）。
【０００５】
しかしながら、気液排出装置は逆止弁や回転体などを備えていて構成が複雑になっていることから、例えば排気と排水の合流部を鋭角状に形成するといった簡単な構成によって、排気時にドレン水の流出を促進できるようにすることが望まれていた。
【０００６】
【特許文献１】特開２００３−３２９２６２号公報（第１頁〜第８頁、第１図〜第６図）
【特許文献２】特開２００４−２８４４８号公報（第１頁〜第８頁、第１図〜第８図）
【発明の開示】
【発明が解決しようとする課題】
【０００７】
本発明は上記の問題点に鑑み、ドレン水の排出と室内外の通気とを簡便な共有経路により円滑に行えるようにした空気調和機を提供することを目的とする。
【課題を解決するための手段】
【０００８】
本発明は、上記課題を解決するため、吸込口と吹出口とを結ぶ空気通路に設けられた熱交換器と、同熱交換器に対応する露受皿からドレン水を室外に排出する排水路と、室内外に連通する通気ダクトとを備えてなり、
前記排水路と前記通気ダクトとが、鋭角状に合流する合流部を備えた共有経路として構成されてなる構成となっている。
【０００９】
また、前記合流部に、給排気時の空気流を導くガイドを設けてなる構成となっている。
【発明の効果】
【００１０】
本発明によれば、排水路と通気ダクトとを、鋭角状に合流する合流部を備えた共有経路として構成したので、配管穴の径を大きくすることなく、ドレン水の排出と室内外の通気とを簡便な構成でなる共有経路により円滑に行えるようにした空気調和機となる。
【発明を実施するための最良の形態】
【００１１】
以下、本発明の実施の形態を、添付図面に基づいた実施例として詳細に説明する。
図１は本発明による空気調和機の実施例１を示す説明図で、（Ａ）は断面図、（Ｂ）は（Ａ）で示すＡ部の拡大図であり、図２は本発明による空気調和機の実施例２を示す説明図で、（Ａ）は断面図、（Ｂ）は（Ａ）で示すＢ部の拡大図である。
【００１２】
本発明による空気調和機は、図で示すように、前面上部および上面に設けられた吸込口１と、前面下部に設けられた吹出口２とを結ぶ空気通路に、露受皿４を下部に備えた熱交換器３と、送風ファン９およびこれに連動する換気ファン11とを設け、前記空気通路には通気ダクト６が接続されると共に、前記露受皿４には前記熱交換器３から滴下したドレン水を室外に排出するための排水路５が接続されている。
【００１３】
上記構成により、前記熱交換器３から滴下したドレン水は、前記露受皿４で受けられたのち、同露受皿４に接続された排水路５によって室外に排出されるようになっている。
【００１４】
また、前記換気ファン11を収容したファンケーシング12に接続され、図１（Ａ）または図２（Ａ）で示す通気ダクト６または6'により、汚れた室内空気を室外に排出したり、または綺麗な室外空気を室内に給入することにより、換気運転を行うのと同時に、被空調室の空気調和を行えるようになっている。
【００１５】
そして、前記排水路５および前記通気ダクト６は、室外機に連なる図示しない冷媒管と共に、壁面Ａに穿設された配管穴Ｂを挿通して室外に導出されるようになっており、この配管穴Ｂの径を大きくすることなく、室内外の通気を効率よく行えるようにし、且つドレン水を室外に効率よく排出できるようにするため、前記排水路５と前記通気ダクト６とが、鋭角状に合流する合流部７を備えた共有経路８として構成されている。
【実施例１】
【００１６】
ここで、前記共有経路８の構成について、実施例１として示した図１（Ａ）および図１（Ｂ）に基づいて、室内空気を室外に排気すると共に、ドレン水を室外に効率よく排出できるようにした構成について詳細に説明する。
【００１７】
前記露受皿４に接続された排水路５と、前記空気通路に接続された排気用の通気ダクト６とは、図１（Ａ）で示す角度ａのように、鋭角状に合流する合流部７を備えて一体化された共有経路８として構成されている。
【００１８】
これにより、前記露受皿４から、矢印のように前記排水路５にドレン水が流出し、前記吸込口１から矢印のように吸い込まれた室内空気の一部が、前記換気ファン11によって前記通気ダクト６に導かれた際、前記排水路５と鋭角状に合流する合流部７では、ドレン水の流出を促進させるように室内空気の一部が合流して、前記共有経路８によっていっしょに室外に排出され排気されることになる。
【００１９】
その際、前記合流部７に、図１（Ｂ）で示すようなガイド10を設けることにより、同合流部７においてドレン水と室内空気の一部とが平行状態に近い角度で合流できるようになり、室内空気の排気時に、ドレン水の流出を促進できるようになって、これらドレン水と室内空気の一部とが更に円滑に室外に排出され排気されることになる。
【実施例２】
【００２０】
次に、前記共有経路８の構成について、実施例２として示した図２（Ａ）および図２（Ｂ）に基づいて、室外空気を室内に効率よく給気し、また、ドレン水を室外に排出できるようにした構成について詳細に説明する。
【００２１】
前記露受皿４に接続され、換気ダクトと排水路５とを共有してなる共有経路８と、同共有経路８に対し、図２（Ａ）で示す角度ｂのように鋭角状に合流する合流部７を備えて接続され、室外に設けられた換気ファン11に連なる給気用の通気ダクト6'とで構成されている。
【００２２】
これにより、室外の綺麗な空気を室内に向けて給気する際、前記換気ファン11を起動して前記通気ダクト6'により前記共有経路８および前記排水路５から前記空気通路に室外空気を導びいて、前記吸込口１から吸い込まれ前記熱交換器３によって熱交換された空気といっしょに、前記送風ファン９により前記吹出口２から室内に送出されることになる。
【００２３】
その際、図２（Ａ）で示す角度ｂが小さくすることで、また、前記合流部７に図２（Ｂ）で示すようなガイド10を設けることにより、室外への空気漏れを少なくできるようにした（コアンダ効果）構成となっている。
【００２４】
また、前記排水路５の流入口には、図２（Ａ）で示す破線のように、前記換気ファン11の起動時（給気時）に、前記露受皿４からのドレン水が流入しないようにするための開閉蓋13が設けられている。
【００２５】
以上、実施例１および実施例２で説明したように、本発明による空気調和機であれば、ドレン水の排出路と通気路とが鋭角状に合流する合流部を備えた共有経路で行われるように構成したので、配管穴Ｂの径を大きくすることなく、簡便な構成によってドレン水の排出と室内外の通気とを円滑に行えるようになる。
【図面の簡単な説明】
【００２６】
【図１】本発明による空気調和機の実施例１を示す説明図で、（Ａ）は断面図であり、（Ｂ）は（Ａ）で示すＡ部の拡大図である。
【図２】本発明による空気調和機の実施例２を示す説明図で、（Ａ）は断面図であり、（Ｂ）は（Ａ）で示すＢ部の拡大図である。
【符号の説明】
【００２７】
Ａ  壁面
Ｂ  配管穴
１  吸込口
２  吹出口
３  熱交換器
４  露受皿
５  排水路
６，6'  通気ダクト
７  合流部
８  共有経路
９  送風ファン
10  ガイド
11  換気ファン
12  ファンケーシング
13  開閉蓋
【図１】
2005337637.tif 000003
【図２】
2005337637.tif 000004